(57)【要約】【課題】チャネル管理機能部とベースバンド処理を行う機能部との間でチャネル情報の不一致が発生した場合に、チャネル情報を修復できるようにする。【解決手段】無線基地局装置１０は、上位装置１とのインタフェースを持つ呼処理制御部１１、無線チャネルの割り当て管理を行う無線信号処理管理部１２、無線送受信制御部１３、ベースバンド信号処理を行う無線信号処理部１４及び有線制御部１５からなり、呼処理制御部１１はＡＰチャネル管理テーブル１６、無線信号処理管理部１２はＰＦチャネル管理テーブル１７、無線信号処理部１４はＢＢチャネル管理テーブル１８を備えている。無線基地局装置１０に割り当てられたチャネル情報が、呼処理制御部１１又は無線信号処理管理部１２とベースバンド処理を行う無線信号処理部１４で不一致が発生した場合、上位装置１に監査要求を行い、上位装置１と無線基地局装置１０間でチャネル情報を修復する。【選択図】図１
2007312332.tif 000002
【特許請求の範囲】
【請求項１】
上位装置から指示されるメッセージに従って新規呼設定処理及び解放処理を行うチャネル管理機能部と、前記チャネル管理機能部により管理されてベースバンド処理を行うベースバンド機能部とを備えた無線基地局装置において、
前記無線基地局装置内に割り当てられるチャネル情報が、前記チャネル管理機能部とベースバンド機能部で不一致が発生した場合、前記チャネル管理機能部から前記上位装置に監査要求を行って前記上位装置と無線基地局装置間でチャネル情報を修復することを特徴とする無線基地局装置。
【発明の詳細な説明】
【技術分野】
【０００１】
本発明は、無線基地局装置に係り、特にベースバンド機能部の品質を向上した無線基地局装置に関する。
【背景技術】
【０００２】
従来、例えばＷ−ＣＤＭＡ方式を用いた移動体通信システムでは、無線基地局装置が各種のリソース情報に基づいて移動局に対する通信回線の割当て及び解放等を行っている。上記無線基地局装置内では、発呼・着呼・ハンドオーバ等により、呼処理リソースの割当て及び解放を頻繁に行っており、正常に呼処理リソースの割当て及び解放処理ができなかった場合には、呼処理制御とベースバンド部で呼処理リソースの状態不一致が発生する可能性がある。このような呼処理リソースの状態不一致が発生した場合には、正常に呼の割り当て及び解放ができなくなり、Ｗ−ＣＤＭＡのサービスに支障を生じる。
【０００３】
このような問題を解決するため従来では、リソース情報管理エリアを設け、このリソース情報管理エリアで管理しているリソース情報に基づいて、無線基地局内に存在するリソース情報を定期的に監視し、不正に割り当てられているリソース情報もしくは削除されてしまっているあるべきはずのリソース情報を検出し、不正なリソース情報に関しては削除、あるべきはずのリソース情報に関しては復旧するようにした無線基地局装置が考えられている（例えば、特許文献１参照。）。
【特許文献１】特開２００３−８５０２号公報
【発明の開示】
【発明が解決しようとする課題】
【０００４】
上記従来の無線基地局装置は、呼処理リソースの状態監視を行うことによって無線基地局装置内の呼処理リソースの状態を一致させることができる。
【０００５】
しかし、上記従来の無線基地局装置では、リソース情報管理エリアが管理しているリソース情報が常に正常な状態であることを前提としている。このためリソース情報管理エリアで管理しているリソース情報が破壊された場合には、２度と復旧しない可能性がある。すなわち、上記従来装置では、無線基地局装置の内部だけでリソース情報の管理を行っているので、リソース情報管理エリアで管理しているリソース情報に異常が発生した場合には、リソース情報を復旧させることが不可能である。
【０００６】
本発明は上記の課題を解決するためになされたもので、チャネル管理機能部と実際にベースバンド処理を行う機能部でチャネル情報の不一致が発生した場合に、チャネル情報を確実に修復することができる無線基地局装置を提供することを目的とする。
【課題を解決するための手段】
【０００７】
本発明は、上位装置から指示されるメッセージに従って新規呼設定処理及び解放処理を行うチャネル管理機能部と、前記チャネル管理機能部により管理されてベースバンド処理を行うベースバンド機能部とを備えた無線基地局装置において、前記無線基地局装置内に割り当てられるチャネル情報が、前記チャネル管理機能部とベースバンド機能部で不一致が発生した場合、前記チャネル管理機能部から前記上位装置に監査要求を行って前記上位装置と無線基地局装置間でチャネル情報を修復することを特徴とする。
【発明の効果】
【０００８】
本発明によれば、無線基地局装置に割り当てられたチャネル情報がチャネル情報管理機能部と実際にベースバンド処理を行うベースバンド機能部で不一致状態となった場合、上位装置に監査要求を行い、上位装置のリソース状態に合わせることでチャネル情報を修復することができる。このため無線基地局装置内だけでなく、システム全体で復旧することが可能になる。
【発明を実施するための最良の形態】
【０００９】
以下、図面を参照して本発明の一実施形態を説明する。  
図１は、本発明の一実施形態に係る無線基地局装置の構成を示すブロック図である。図１において、１０は無線基地局装置、１は無線基地局装置１０の上位装置である無線ネットワーク制御装置（RNC：Radio Network Controller）である。
【００１０】
上記無線基地局装置１０は、上位装置１とのインタフェースを持つ呼処理制御部１１、無線チャネル割り当て管理を行う無線信号処理管理部１２、無線周波数帯域の送受信処理を行う無線送受信制御部１３、ベースバンド（ＢＢ）信号処理を行う無線信号処理部１４、ネットワーク側と回線インタフェース処理を行う有線制御部１５を備えている。
【００１１】
上記呼処理制御部１１は、上位装置１から新規呼設定を指示する“RADIO LINK SETUP REQUEST”メッセージを受信して新規呼設定処理を行うと共に、上位装置１から呼解放を指示する“RADIO LINK DELETION REQUEST”メッセージを受信して呼解放処理を行う。また、呼処理制御部１１は、上記呼処理制御に際し、“Communication Control Port ID（CCP-ID）”及びチャネル情報CH-IDを管理するＡＰチャネル管理テーブル１６を備えている。上記“Communication Control Port ID”は、上位装置１から新規呼設定の際に指示される“RADIO LINK SETUP REQUEST”の応答メッセージである“RADIO LINK SETUP RESPONSE”のパラメータである。
【００１２】
また、無線信号処理管理部１２は、呼処理制御部１１により指定されたチャネル情報CH-IDを管理するためのＰＦチャネル管理テーブル１７を備えている。  
また、無線信号処理部１４は、無線信号処理管理部１２からチャネル情報CH-IDが付加された無線信号設定要求メッセージを受信し、ベースバンド信号処理を行う際、チャネル情報CH-IDを管理するためのＢＢチャネル管理テーブル１８を備えている。
【００１３】
上記無線基地局装置１０は、新規呼設定処理及び呼解放処理の機能を有すると共に、割り当てられたチャネル情報が、呼処理制御部１１又は無線信号処理管理部１２のチャネル情報管理機能部と実際にベースバンド処理を行う無線信号処理部１４で不一致が発生した場合に、上位装置１に監査要求を行うことで上位装置１と無線基地局装置１０間でチャネル情報を修復する機能、すなわちリソース状態を復旧させる機能を備えている。
【００１４】
次に上記無線基地局装置１０における新規呼設定処理、呼解放処理、及びチャネル管理情報修復処理について図２ないし図５を参照して説明する。  
まず、新規呼設定処理について、図２に示す新規呼設定処理フローを参照して説明する。呼処理制御部１１は、上位装置１から新規呼設定を指示する“RADIO LINK SETUP REQUEST”メッセージを受信すると（ステップＡ１）、チャネルを一意に管理するためのチャネル情報CH-IDを割り当て、このチャネル情報CH-IDをチャネル設定要求メッセージに付加して無線信号処理管理部１２に送信する（ステップＡ２）。
【００１５】
呼処理制御部１１は、無線信号処理管理部１２にチャネル設定要求メッセージを正常に送信できた場合、“RADIO LINK SETUP REQUEST”の応答メッセージである“RADIO LINK SETUP RESPONSE”のパラメータ“Communication Control Port ID”にチャネル情報CH-IDの値を設定して上位装置１へ送信する（ステップＡ３）。また、呼処理制御部１１は、
上記応答メッセージのパラメータ“Communication Control Port ID”及びチャネル情報CH-IDをＡＰチャネル管理テーブル１６へ設定する（ステップＡ４）。
【００１６】
無線信号処理管理部１２は、上記ステップＡ２にて呼処理制御部１１からチャネル設定要求メッセージを受信した際、無線信号処理部１４に無線信号設定要求メッセージを送信する（ステップＡ５）。無線信号処理管理部１２は、上記無線信号設定要求メッセージを正常に送信できた場合、チャネル設定応答メッセージを呼処理制御部１１へ送信する（ステップＡ６）。更に、無線信号処理管理部１２は、チャネル情報CH-IDをＰＦチャネル管理テーブル１７へ設定する（ステップＡ７）。
【００１７】
無線信号処理部１４は、無線信号処理管理部１２から送られてくる無線信号設定要求メッセージを受信すると、ベースバンド信号処理を行い、チャネル情報CH-IDをＢＢチャネル管理テーブル１８に設定してチャネル情報CH-IDを集計する（ステップＡ８）。そして、無線信号処理部１４は、ＢＢチャネル管理テーブル１８に設定されている全チャネル情報CH-IDを付加した無線信号設定応答メッセージを無線信号処理管理部１２に送信する（ステップＡ９）。  
以上で新規呼設定処理を終了する。
【００１８】
次に、呼解放処理について、図３に示す呼解放処理フローを参照して説明する。呼処理制御部１１は、上位装置１から呼解放を指示する“RADIO LINK DELETION REQUEST”メッセージを受信すると（ステップＢ１）、無線信号処理管理部１２にチャネル解放要求メッセージを送信する（ステップＢ２）。
【００１９】
呼処理制御部１１は、無線信号処理管理部１２にチャネル解放要求メッセージを正常に送信できた場合、“RADIO LINK DELETION REQUEST”の応答メッセージである“RADIO LINK DELETION RESPONSE”を上位装置１へ送信する（ステップＢ３）。また、呼処理制御部１１は、上記新規呼にて設定された“Communication Control Port ID”及びチャネル情報CH-IDをＡＰチャネル管理テーブル１６から解放する（ステップＢ４）。
【００２０】
無線信号処理管理部１２は、上記ステップＢ２にて呼処理制御部１１からチャネル解放要求メッセージを受信すると、無線信号処理部１４に無線信号解放要求メッセージを送信する（ステップＢ５）。また、無線信号処理管理部１２は、チャネル解放応答メッセージを呼処理制御部１１へ送信する（ステップＢ６）。更に、無線信号処理管理部１２は、チャネル情報CH-IDをＰＦチャネル管理テーブル１７から削除する（ステップＢ７）。
【００２１】
無線信号処理部１４は、無線信号処理管理部１２から送られてくる無線信号解放要求メッセージを受信すると、ベースバンド信号処理を停止し、そのチャネル情報CH-IDをＢＢチャネル管理テーブル１８から削除してチャネル情報CH-IDを集計する（ステップＢ８）。そして、無線信号処理部１４は、ＢＢチャネル管理テーブル１８に設定されている全チャネル情報CH-IDを付加した無線信号解放応答メッセージを無線信号処理管理部１２に送信する（ステップＢ９）。  
以上で呼解放処理を終了する。
【００２２】
次に、チャネル管理情報修復処理について、図４及び図５に示すチャネル管理情報修復処理フローを参照して説明する。
【００２３】
無線信号処理管理部１２は、図２に示した新規呼設定処理フローのステップＡ９にて無線信号処理部１４から無線信号設定応答メッセージを受信した場合、あるいは図３に示した呼解放処理フローのステップＢ９にて無線信号処理部１４から無線信号解放応答メッセージを受信した場合、応答メッセージのチャネル情報CH-IDとＰＦチャネル管理テーブル１７との内容を比較し（ステップＣ１）、チャネル情報CH-IDが不一致の場合、呼処理制御部１１へ不一致となったチャネル情報CH-ID及びCH-ID状態（呼残り状態又は呼消失状態）を付加してチャネル監査要求を行う（ステップＣ２）。
【００２４】
また、無線信号処理管理部１２は、上記無線信号処理部１４から受信した無線信号設定（解放）応答メッセージとＰＦチャネル管理テーブル１７との内容比較において、内容が一致している場合は、無線信号処理部１４で設定されている全チャネル情報CH-ID、及びCH-ID状態（正常）を付加して呼処理制御部１１へチャネル監査要求を行う（ステップＣ２）。
【００２５】
呼処理制御部１１は、無線信号処理管理部１２からのチャネル監査要求で通知されたチャネル情報CH-IDとＡＰチャネル管理テーブル１６との内容を比較し（ステップＣ３）、チャネル情報CH-IDが不一致の場合（ステップＣ４）、不一致となったチャネル情報CH-IDを“Communication Control Port ID”として上位装置１へ監査要求メッセージを送信する（ステップＣ５）。上記ステップＣ３の比較処理において、チャネル情報CH-IDが一致する場合（ステップＣ６）は、監査要求は行わずにチャネル管理情報修復処理を停止する。
【００２６】
上位装置１は、通知された“Communication Control Port ID”の設定状況を呼処理制御部１１に監査応答メッセージとして応答する（ステップＣ７）。呼処理制御部１１は、監査要求を行ったチャネルのCH-ID状態及び上位装置１より通知された“Communication Control Port ID”の設定状況により、以下に示す管理情報修復処理を実行する。
【００２７】
（１）対象のチャネルが無線信号処理部１４で消失、呼処理制御部１１又は無線信号処理管理部１２で設定中、上位装置１で設定状態の場合（ステップＣ８）、同期処理が継続できないため、呼処理制御部１１は上位装置１へ呼設定が正常にできなかったことを示す“RADIO LINK FAILURE INDICATION”メッセージを送信する（ステップＣ９）。この場合、上位装置１は、新規呼設定を指示するメッセージを呼処理制御部１１へ再度送信する。
【００２８】
（２）対象のチャネルが無線信号処理部１４で消失、呼処理制御部１１又は無線信号処理管理部１２で設定状態、上位装置１で未設定状態の場合（ステップＣ１０）、呼処理制御部１１又は無線信号処理管理部１２の対象チャネル情報CH-IDを未設定状態にする。すなわち、対象のチャネルが呼処理制御部１１で設定状態となっている場合には、呼処理制御部１１によりＡＰチャネル管理テーブル１６の対象チャネル情報CH-IDを未設定状態（ステップＣ１１）とし、対象のチャネルが無線信号処理管理部１２で設定状態となっている場合には、呼処理制御部１１から無線信号処理管理部１２に対してチャネル修復要求を送信し（ステップＣ１２）、ＰＦチャネル管理テーブル１７の対象チャネル情報CH-IDを未設定状態にする（ステップＣ１３）。
【００２９】
（３）対象のチャネルが無線信号処理部１４で設定状態、呼処理制御部１１又は無線信号処理管理部１２で未設定状態、上位装置１で未設定状態の場合（ステップＣ１４）、呼処理制御部１１から無線信号処理部１４にチャネル修復要求を送信し（ステップＣ１５）、ＢＢチャネル管理テーブル１８における対象チャネルを解放し、チャネル情報を未設定状態にする（ステップＣ１６）。
【００３０】
（４）対象のチャネルが無線信号処理部１４で設定状態、呼処理制御部１１又は無線信号処理管理部１２で未設定状態、上位装置１で設定状態の場合（ステップＣ１７）、呼処理制御部１１又は無線信号処理管理部１２の対象チャネル情報CH-IDを設定状態にする。すなわち、対象のチャネルが呼処理制御部１１で未設定状態の場合には、呼処理制御部１１によりＡＰチャネル管理テーブル１６の対象チャネル情報CH-IDを設定状態（ステップＣ１８）とし、対象のチャネルが無線信号処理管理部１２で未設定状態の場合には、呼処理制御部１１から無線信号処理管理部１２に対してチャネル修復要求を送信し（ステップＣ１９）、ＰＦチャネル管理テーブル１７の対象チャネル情報CH-IDを設定状態にする（ステップＣ２０）。
【００３１】
上記実施形態に示したように無線基地局装置１０に割り当てられたチャネル情報が、呼処理制御部１１又は無線信号処理管理部１２のチャネル情報管理機能部と実際にベースバンド処理を行う無線信号処理部１４で不一致が発生した場合、上位装置１に監査要求を行い、チャネル制御の指示元である上位装置１にリソース状態を合わせることにより、上位装置１と無線基地局装置１０間でチャネル情報を修復することができる。このため無線基地局装置１０内だけでなく、システム全体で復旧することが可能になる。
【００３２】
また、チャネルの割り当て及び解放動作毎にチャネル管理状況の位相を合わせるため、上位装置１及び無線基地局装置１０内の各機能部間で管理状況が不一致になっても早急に復旧が可能である。
【００３３】
なお、本発明は、上記実施形態そのままに限定されるものではなく、実施段階ではその要旨を逸脱しない範囲で構成要素を変形して具体化できるものである。
【図面の簡単な説明】
【００３４】
【図１】本発明の一実施形態に係る無線基地局装置の構成を示すブロック図である。
【図２】同実施形態における新規呼設定処理動作を示すフローチャートである。
【図３】同実施形態における呼解放処理動作を示すフローチャートである。
【図４】同実施形態におけるチャネル管理情報修復動作の一部分を示すフローチャートである。
【図５】同実施形態におけるチャネル管理情報修復動作の他の部分を示すフローチャートである。
【符号の説明】
【００３５】
１０…無線基地局装置、１１…呼処理制御部、１２…無線信号処理管理部、１３…無線送受信制御部、１４…無線信号処理部、１５…有線制御部、１６…ＡＰチャネル管理テーブル、１７…ＰＦチャネル管理テーブル、１８…ＢＢチャネル管理テーブル
【図１】
2007312332.tif 000003
【図２】
2007312332.tif 000004
【図３】
2007312332.tif 000005
【図４】
2007312332.tif 000006
【図５】
2007312332.tif 000007